(57)【特許請求の範囲】
【請求項１】
内部にレンズを備えかつ雌ネジを有するケース本体と、前記ケース本体に装着されかつ雌ネジを有する光学フィルタと、前記光学フィルタに装着され外周に雄ネジを有するレンズフードと、前記レンズフードの外周に装着され前記レンズフードの雄ネジと螺合する雌ネジを有しかつ軸線方向に移動可能なフードカバーとを備え、
前記ケース本体の雌ネジに前記光学フィルタの雄ネジを螺合させ、前記光学フィルタの雌ネジに前記レンズフードの雄ネジを螺合させ、前記レンズフードの雌ネジに前記フードカバーの雄ネジを螺合させ、
かつ前記フードカバーを前記ケース本体の端面に当接するまで螺着させた際、前記フードカバーが前記光学フィルタを覆い隠すことを特徴とするレンズフード装置。
【発明の詳細な説明】
【０００１】
【発明の属する技術分野】
本発明は、カメラ一体型磁気記録再生装置に使用して有効なレンズフード装置に関するものである。
【０００２】
【従来の技術】
以下、従来のレンズフード装置について図面を用いて説明する。
【０００３】
図４（Ａ）及び（Ｂ）は従来のレンズフード装置が取り付けられたカメラ一体型磁気記録再生装置の側面図を示すもので、レンズ４の保護や光学性能を向上させる目的でレンズフード１のフード取付雄ネジ１ａとケース本体３のフード取付雌ネジ３ａが螺着することにより、レンズ４前面に装着されている。
【０００４】
【発明が解決しようとする課題】
しかしながら上記の従来の構成では、撮影者が、必要により図５（Ａ）及び（Ｂ）のようにレンズフード１とケース本体３の間に光学フィルタ５を取り付けた場合、レンズフード１とケース本体３との間に段差ができることになり、デザイン形状を損ない、美観を低下させるという問題点を有していた。また、光学フィルタ５の厚みｌだけ外形寸法が大きくなるために、収納性が悪くなるという問題点を有していた。
【０００５】
本発明は上記従来の問題点を解決するもので、本体ケースに光学フィルタを装着した時に美観を損なうことなく、また外形寸法を変更させることなく装着できるレンズフード装置を提供することを目的とする。
【０００６】
【課題を解決するための手段】
この目的を達成するために本発明のレンズフード装置は、内部にレンズを備えかつ雌ネジを有するケース本体と、前記ケース本体に装着されかつ雌ネジを有する光学フィルタと、前記光学フィルタに装着され外周に雄ネジを有するレンズフードと、前記レンズフードの外周に装着され前記レンズフードの雄ネジと螺合する雌ネジを有しかつ軸線方向に移動可能なフードカバーとを備え、
前記ケース本体の雌ネジに前記光学フィルタの雄ネジを螺合させ、前記光学フィルタの雌ネジに前記レンズフードの雄ネジを螺合させ、前記レンズフードの雌ネジに前記フードカバーの雄ネジを螺合させ、
かつ前記フードカバーを前記ケース本体の端面に当接するまで螺着させた際、前記フードカバーが前記光学フィルタを覆い隠すものである。
【０００７】
この構成によって、本体ケースに光学フィルタを装着した時に美観を損なうことなく、また外形寸法を変更させることなく装着できるレンズフード装置が得られる。
【０００８】
【発明の実施の形態】
本発明の請求項１に記載の発明は、内部にレンズを備えかつ雌ネジを有するケース本体と、前記ケース本体に装着されかつ雌ネジを有する光学フィルタと、前記光学フィルタに装着され外周に雄ネジを有するレンズフードと、前記レンズフードの外周に装着され前記レンズフードの雄ネジと螺合する雌ネジを有しかつ軸線方向に移動可能なフードカバーとを備え、
前記ケース本体の雌ネジに前記光学フィルタの雄ネジを螺合させ、前記光学フィルタの雌ネジに前記レンズフードの雄ネジを螺合させ、前記レンズフードの雌ネジに前記フードカバーの雄ネジを螺合させ、
かつ前記フードカバーを前記ケース本体の端面に当接するまで螺着させた際、前記フードカバーが前記光学フィルタを覆い隠すものであり、本体ケースに光学フィルタを装着した時に美観を損なうことなく、また外形寸法を変更させることがないという作用を有する。
【０００９】
以下、本発明の実施の形態について、図１から図３を用いて説明する。
（実施の形態１）
図１（Ａ）及び（Ｂ）は本発明のレンズフードを備えたカメラ一体型磁気記録再生装置の側面図である。なお、図中従来技術と同様の構成要素については同一番号を付与してその説明は省略する。図２は本発明のレンズフード装置の構成を示す要部断面図である。
【００１０】
図において、レンズフード１は外周にカバー移動雄ネジ１ｂ及びフード取付雄ネジ１ａが形成されたものであり、フードカバー２は内径にカバー移動雌ネジ２ｂが形成されている。そして、レンズフード１は矢印Ｐ方向よりフードカバー２に挿入可能となっている。
【００１１】
また、図２において、レンズフード１を矢印Ｐ方向より見て時計方向に回転させると、カバー移動雄ネジ１ｂとカバー移動雌ネジ２ｂが螺合することにより、レンズフード１はフードカバー２に装着される。
【００１２】
さらに、レンズフード１を矢印Ｐ方向に移動させると、フードリブ１ｃがフードストッパー２ｃに当接することにより螺着し、レンズフード１はそれ以上矢印Ｐ方向へは移動できない。
【００１３】
その時、フード取付雄ネジ１ａはフードカバー２の終端より突出しているので、ケース本体３のフード取付雌ネジ３ａと螺着させることができる。
【００１４】
以上のように構成された本実施の形態のレンズフード装置について、図３を用いてその動作を説明する。
【００１５】
図３は本体ケース３に光学フィルタ５が装着された状態を示す要部断面図である。図３（Ａ）において、レンズフード１を矢印Ｐ方向から見て時計方向に回動させると、レンズフード１のフード取付雄ネジ１ａと光学フィルタ５のフィルタ雌ネジ５ａが螺合し、レンズフード１は光学フィルタ５の端面に当接するまでフードカバー２と共に移動量Ｕだけ矢印Ｐ方向に移動し、螺着して、図３（Ｂ）に示す状態になる。
【００１６】
さらに、レンズフード１を回動し続けると、カバー移動雄ネジ１ｂとカバー移動雌ネジ２ｂとの螺着が解除され、フードカバー２はケース本体３の端面に当接するまで矢印Ｐ方向に移動量Ｔだけ移動して、図３（Ｃ）に示す状態になる。
【００１７】
以上のように本実施の形態によれば、レンズフード１の外周に軸線方向に移動可能なフードカバーを装着し、フードカバーを移動させて長さ位置を変化させることにより、光学フィルタを外観より隠すことができる。
【００１８】
【発明の効果】
以上のように本発明は、光学フィルタ装着時に美観を損なわないと共に、外形寸法を変更せずにレンズフード機構の装着が可能であるという優れた効果が得られる。
【図面の簡単な説明】
【図１】（Ａ）本発明の実施の形態におけるレンズフード装置を使用したカメラ一体型ＶＴＲの側面図
（Ｂ）同カメラ一体型ＶＴＲにおけるア−ア部の要部断面図
【図２】同実施の形態における断面図
【図３】同実施の形態におけるレンズフード装置をカメラ一体型ＶＴＲに装着する状態を示す要部断面図
【図４】（Ａ）従来のレンズフード装置を備えたカメラ一体型ＶＴＲの側面図
（Ｂ）同カメラ一体型ＶＴＲにおいてレンズフードのみを装着した状態を示すア−ア部の要部断面図
【図５】（Ａ）従来のレンズフード装置を備えたカメラ一体型ＶＴＲの側面図
（Ｂ）同カメラ一体型ＶＴＲにおいてレンズフードと光学フィルタを装着した状態を示すア−ア部の要部断面図
【符号の説明】
１  レンズフード
１ａ  フード取付雄ネジ
１ｂ  カバー移動雄ネジ
２  フードカバー
２ｂ  カバー移動雌ネジ
【図１】
0003551611.tif 000002
【図２】
0003551611.tif 000003
【図３】
0003551611.tif 000004
【図４】
0003551611.tif 000005
【図５】
0003551611.tif 000006